(57)【要約】【課題】カードで麻雀が楽しめるように、カードホルダーを設け、カードの処理を簡単にしたカード麻雀セットを提供する。【解決手段】トランプカード大の麻雀カードと、そのカードを立て掛けて保持できるカードホルダーを設け、カードがよく見えて整理がし易くカードの出し入れが簡単なことを特徴とするカード麻雀セット。【選択図】図１
2007195924.tif 000002
【特許請求の範囲】
【請求項１】
麻雀ゲームに必要な牌の枚数で、各牌に対応した牌種表記部をそれぞれ有する麻雀カードと、ゲームに必要な麻雀カードをカードの内容が視認できるように着脱可能に保持する保持部を有するゲーム人数分のカードホルダーとより構成され、前記カードホルダーは対戦者にカードが見えない状態と、倒して開示できる状態に置き換えられるものであることを特徴とするカード麻雀セット。
【発明の詳細な説明】
【技術分野】
【０００１】  本発明は、カードで麻雀が楽しめるように、カードホルダーを設け、カードの処理を簡単にしたカード麻雀セットに関するものである。
【背景技術】
【０００２】  従来、麻雀は牌と呼ばれるものを、裏返しに積み上げたり、縦に見開いたり、表返しに開いたりする動作のために、牌は長方体の固い材質で作られている。従来型某社の麻雀ケースセット重量は２９００ｇ＋ゴムマット重量は２５００ｇ、合計５４００ｇ、麻雀ケースセットのサイズは２９８ｍｍ長さ×２０６ｍｍ巾×５０ｍｍ高さ、ゴムマットは６８６ｍｍ角であった。
【発明の開示】
【発明が解決しようとしている課題】
【０００３】      そのために、次の問題点があった。
（イ）音が大きいために、プレイする場所に制限があった。
（ロ）麻雀セットとしては重くて嵩があるため旅行等の持参には苦労した。
（ハ）価格的にも高価である。
本発明は以上の問題点を解決しようとするものである。
【課題を解決するための手段】
【０００４】トランプカード大の麻雀カードと、そのカードを立て掛けるカードホルダーを設けカードがよく見えて整理がし易くカードの出し入れが簡単なことを特徴とするカード麻雀セット。
【発明の効果】
【０００５】  本発明は、カード式麻雀のため、ジャラジャラ音が出ない、そのためプレイする場所の制限が緩和されるため、旅行の車中でも楽しめる。
また、カードとカードホルダーと点棒のみのセットでゴムマットは不要なので、軽くて、嵩張らないため携帯に便利である。カード麻雀セットの総重量は約７００ｇで麻雀セットケースのサイズは、約２５０ｍｍ長さ×１００ｍｍ巾×７５ｍｍ高さである。また、カードとカードホルダーと点棒のみのセットなので、安価となる。
【発明を実施するための最良の形態】
【０００６】      以下、本発明の実施の形態を説明する。
（イ）麻雀カード（１）は図１に示すように、３４種１３６枚と４枚の予備カードとなっている。そのカードは、図２に示すように約縦８８ｍｍ横５７ｍｍ厚み０．２５ｍｍとする。また、そのカードは図２に示すように片面の表記部を左上隅と右下隅と中央に設ける。左上隅と右下隅の表記サイズはカードホルダー用表記部（３）を１５ｍｍ巾以内としてカードホルダー（２）に麻雀カード（１）を１４枚保持してその１４枚が全て表記部が視認できるものである。中央表記部（４）のサイズは縦３０ｍｍ巾２５ｍｍ以内としカードホルダー用表記部（３）よりはサイズが大きい。
（ロ）カードホルダー（２）は競技人数四人分の４セット設ける。
そのカードホルダー（２）は、図３及び図４に示すようにプレート（５）の上に角材（６）を２本レール状に溝を空けて取り付けられたものである。
尚プレート（５）と角材（６）は一体型で作ることもある。
カード保持用溝（７）は巾約１．５ｍｍから２．０ｍｍで、溝深さは約１０ｍｍである。またカードホルダー（２）の全長は、麻雀カード（１）のカードホルダー用表記部（３）が１４枚視認できる２４５ｍｍである。
またこのカードホルダー（２）は図１に示すように、相手に見えない状態から矢印のように手前から向こう側へ倒して開示できる状態で使用されるため、角材（６）はプレート（５）に対して片端に位置し倒して開示しやすくしたものである。
（ハ）場表示カード（８）は図５及び図６で示すように、表に東場、裏面に南場を表示したもの１枚を設ける。
（ニ）親表示カード（９）は図７で示すように、表面のみに東を表示したものを１枚設ける。
（ホ）点棒は図１０で示すように、壱万点棒（１３）を４本、五千点棒（１４）を８本、千点棒（１５）を３６本と百点棒（１６）を４０本を設ける。
サイコロ（１７）は２個を設ける。
（ヘ）説明書として図１２に示すように、カード麻雀の遊戯説明書（１８）を設ける。
（ト）収納は、個別収納と全体収納で構成される。
個別収納▲１▼カードケース（１１）は、図９で示すように蓋つきで４箱設け麻雀カード（１）を１４０枚を収納する。
▲２▼点棒ケース（１２）は、図１０で示すように上面開放の箱１個を設ける。
その点棒ケース（１２）には、点棒（１３，１４，１５，１６）を８８本、場表示カード（８）を１枚、親表示カード（９）を１枚とサイコロ（１７）を２個を収納する。
全体収納は収納ケース（１０）を１個設ける。
その収納ケース（１０）に図１１に示すように、
▲１▼カードホルダー（２）の４セッをト表、裏、表、裏の互い違いの抱き合わせ積みする。
▲２▼カードを収納したカードケース（１１）を横置き２列に収納する。そのとき中央を空けた状態とする。
▲２▼点棒（１３，１４，１５，１６）８８本と、場表示カード（８）を１枚、親表示カード（９）を１枚とサイコロ（１７）を２個を収納した点棒ケース（１２）は、カードケース（１１）の２個と２個の中央の空いた場所に収納する。
▲３▼カード麻雀の遊戯説明書（１８）を折りたたんでカードホルダー（２）の上に乗せて収納する。
本発明は、以上の構成よりなっている。
本発明を使用するときは、
（チ）麻雀競技と同様に四人でゲームを行う。
（リ）役      麻雀ルール同一
（ヌ）進行方法
▲１▼親決め  ジャンケン勝ち者（サイコロにて麻雀ルールでも可）
場表示カード（８）を親に渡す。
親表示カード（９）を親に渡す。
▲２▼カード配布  四人が麻雀カード（１）を適当な枚数を集め、チョキを切って親に渡す。
親は全麻雀カード（１）を数回チョキを切る。
親は全麻雀カード（１）を中央に一つ山積みに置く。
南家が、上から適当に掴み取り脇に置き二つ山とする。
親は残った下積みの山から、４枚取る。
南家は残った下積みの山から、４枚取る。
西家は残った下積みの山から４枚取る。
北家は残った下積みの山から４枚取る。
以下３回繰り返す。途中で下積みの山が無くなった場合は上積みの山から取る。
４回目親は２枚取る。
４回目南家は１枚取る。
４回目西家は１枚取る。
４回目北家は１枚取る。
途中でカードが無くなった場合は、上積みから取る。
全員の配布が終わったら
親は残ったカードより４枚を伏せたまま取り横へ置く、カン用カードとなる。次に１枚を伏せたまま横に置き（裏ドラ宣言カード）、その上に１枚開いて置く、ドラ宣言カードとなる。
▲３▼ゲーム開始  親が１枚カードを開示して捨てる（前方左側より）。
他家がポン、チーがなければ
南家が山積み残より１枚取り、１枚開示して捨てる。
他家がポン、チーがなければ
西家が山積み残より１枚取り、１枚開示して捨てる。
他家がポン、チーがなければ
北家が山積み残より１枚取り、１枚開示して捨てる。
以下普通の麻雀ルールで進行する。
▲４▼カードホルダー（２）の利用方法
図１に示すように、カード保持用溝（７）の箇所に麻雀カード（１）を立て掛けて保持して整理する。上がりの時はカードホルダー（２）に麻雀カード（１）を保持したままいっしょに前方前へ倒す。
【図面の簡単な説明】
【０００７】
【図１】    使用状態図を示す斜視図
【図２】    麻雀カード例を示す麻雀カード表面図
【図３】    カードホルダーを示す斜視図
【図４】    カードホルダーを示す右側面図
【図５】    場表示カードを示す表面図
【図６】    場表示カードを示す裏面図
【図７】    親表示カードを示す表面図
【図８】    収納ケースを示す斜視図
【図９】    カードケースを示す斜視図
【図１０】    点棒ケースを示す斜視図
【図１１】    カード麻雀セットの全体収納を示す平面図
【図１２】    カード麻雀の遊戯説明書を示す表面図
【図１３】    従来型某社の麻雀ケースとゴムマットの斜視
【符号の説明】
【０００８】          １        麻雀カード
２        カードホルダー
３        カードホルダー用表記部
４        中央表記部
５        プレート
６        角材
７        カード保持用溝
８        場表示カード
９        親表示カード
１０      収納ケース
１１      カードケース
１２      点棒ケース
１３      壱万点棒
１４      五千点棒
１５      千点棒
１６      百点棒
１７      サイコロ
１８      カード麻雀の遊戯説明書
１９      従来型某社の麻雀ケースセット
２０      従来型某社のゴムマット
【図１】
2007195924.tif 000003
【図２】
2007195924.tif 000004
【図３】
2007195924.tif 000005
【図４】
2007195924.tif 000006
【図５】
2007195924.tif 000007
【図６】
2007195924.tif 000008
【図７】
2007195924.tif 000009
【図８】
2007195924.tif 000010
【図９】
2007195924.tif 000011
【図１０】
2007195924.tif 000012
【図１１】
2007195924.tif 000013
【図１２】
2007195924.tif 000014
【図１３】
2007195924.tif 000015